(57)【要約】      （修正有）【課題】フィンの固定及び解除操作が確実にでき、フィンを固定する押圧力の調整が可能でフィンの固定状態を安定に維持できるサーフボード用フィン固定具を提供する。【解決手段】軸方向の一端に把持部１ａを有し、中間箇所に小径部１ｃを有するネジ軸１と、ネジ軸１の把持部１ａ側の雄ネジ部１ｂに螺合した締付ナット２と、小径部１ｃに抜け止め保持されたワッシャー４と、締付ナット２とワッシャー４との間に配置されたバネ３と、一方向の幅がフィンボックスのフィン挿入用溝の幅よりも短く、一方向に直交する方向の幅がフィン挿入用溝の幅よりも長い外形を有し、中央に雌ネジ部５ａが形成された板ナット５とで構成され、板ナット５は、フィン挿入用溝の両側の壁に係合可能な一対の係合凸部５ｃ１を雌ネジ部５ａに対して長手方向の両側に有し、板ナット５の雌ネジ部５ａはネジ軸１の雄ネジ部１ｄが貫通しないようにネジ形成されている。【選択図】図２
0003189146.tif 000002
【実用新案登録請求の範囲】
【請求項１】
サーフボードの底面のフィンボックスに装着されたフィンを固定するためのサーフボード用フィン固定具であって、
軸方向の一端に把持部を有し、軸方向の中間箇所に小径部を有するネジ軸と、
前記ネジ軸の把持部側の雄ネジ部に螺合した締付ナットと、
前記小径部に抜け止め状態に保持されたワッシャーと、
前記締付ナットと前記ワッシャーとの間に配置されたバネと、
平面視で一方向の幅が前記フィンボックスのフィン挿入用溝の幅よりも短く、一方向に直交する方向の幅が前記フィン挿入用溝の幅よりも長い外形を有し、中央箇所に前記ネジ軸の他端側の雄ネジ部が螺合可能な雌ネジ部が形成された板ナットと
で構成され、
前記板ナットは、長手方向が前記フィン挿入用溝と交差した配置で前記フィン挿入用溝に嵌り込んで溝の両側の壁に係合可能な一対の係合凸部を前記雌ネジ部に対して長手方向の両側に有し、
前記板ナットの雌ネジ部又は前記ネジ軸の他端側の雄ネジ部は、前記ネジ軸の他端側の雄ネジ部が前記板ナットの雌ネジ部を貫通しないようにネジ形成されていることを特徴とするサーフボード用フィン固定具。
【請求項２】
前記把持部と前記締付ナットとが前記ネジ軸の軸方向に対して同心の円柱状に形成してあることを特徴とする請求項１に記載のサーフボード用フィン固定具。
【請求項３】
前記バネは、前記ネジ軸の把持部側の雄ネジ部を内部に位置させたコイルバネであり、
前記ネジ軸の把持部側の雄ネジ部のネジ径が他端側の雄ネジ部のネジ径よりも大であることを特徴とする請求項１又は２に記載のサーフボード用フィン固定具。
【請求項４】
前記板ナットは、長手方向の周縁部が雌ネジ部の軸心を中心とした円弧状に形成してあることを特徴とする請求項１〜３の何れか１項に記載のサーフボード用フィン固定具。
【考案の詳細な説明】
【技術分野】
【０００１】
本考案は、サーフボードに装着したフィンを固定するためのフィン固定具に関する。
【背景技術】
【０００２】
フィンはサーフボードの後方側の底面に固定される。フィンの種類・形状や取り付け位置を変えることにより、サーフボードの回転性が変化し、天候に合わせた操作性を調整することができるため、フィンを簡単に脱着し固定できることが望まれる。
【０００３】
図８〜図９を用いてサーフボードとサーフボード用フィンの構造について説明する。サーフボード用フィン１２は、根元部分１２ｃの一端部に両側面から左右に突き出た一対の脱落防止ピン１２ａを有し、他端部に固定具を取り付ける貫通孔１２ｂを有している。図９中、１２ｄはフィン本体を示す。サーフボード１０にはサーフボード用フィン１２を装着するフィンボックス１１が埋め込まれている。フィンボックス１１には、フィン１２の根元部分１２ｃを挿入する細長い形状のフィン挿入用溝１１ａが設けてあり、フィン挿入用溝１１ａの内部の左右両壁に横向きの係合溝１１ｂが設けてある。フィン挿入用溝１１ａの長手方向中央箇所にはフィン１２の脱落防止ピン１２ａを係合溝１１ｂに導入するためのピン導入溝１１ｃがフィン挿入用溝１１ａと直交するように設けてある。図８（ｂ）中、ｗはフィン挿入用溝１２ａの幅、ｗ４は左右の係合溝１１ｂの奥壁部の間の幅を示す。
【０００４】
特許文献１には、簡単で確実にサーフボード用フィンを固定できることを目的として、一対の対角部をＲ形状とした長方形の板体と、板体の中央箇所に軸方向の一端が固定されたネジ軸と、雌ネジ部を有する樹脂製の締付ナットとから成るサーフボード用フィンの固定用具が開示されている。
【０００５】
上記サーフボード用フィンの固定用具の使用方法は以下の通りである。先ず、板体の長手方向をフィンの長手方向と平行にしてネジ軸をフィン本体の反対側からフィンの貫通孔に挿入し、貫通孔から突き出たネジ軸に締付ナットを締め込んで固定用具をフィンに仮止めする。次に、フィンの一端部の脱落防止ピンをフィンボックスのピン導入溝に挿入して係合溝に導入し、係合溝をスライドさせてフィンの前後方向の位置を決める。次に、固定用具をフィン挿入用溝に挿入した後、締付ナットを緩めてネジ軸を回転させて板体の長手方向をフィンの長手方向と交差させ、板体のＲ形状の対角部が係合溝の奥壁部に当接した状態で締付ナットを締め込む。これにより、板体が係合溝に係合されるとともに、板体に対してフィンが押し込まれ固定される。固定を解除する場合は、締付ナットを緩めて板体が係合溝に係合されない状態にする。
【先行技術文献】
【特許文献】
【０００６】
【特許文献１】特開２０１２−１２６３７２号公報
【考案の概要】
【考案が解決しようとする課題】
【０００７】
特許文献１に記載されたフィン固定具は、ネジ軸に螺合した締付ナットを回してネジ軸を回転させているためフィンの固定及び解除操作が確実にできない場合があり、また締付ナットがフィンを直接押圧して固定する構成であるため、フィンを固定する押圧力の調整が事実上不可能であるとともに、締付ナットが少しでも緩むと押圧力が低下し、フィンの固定が不安定になる可能性があった。
【０００８】
本考案は、上述したような事情に鑑みてなされたものであり、フィンの固定及び解除操作が確実にでき、フィンを固定する押圧力の調整が可能であるとともに、フィンの固定状態を安定に維持することができるサーフボード用フィン固定具を提供することを目的とする。
【課題を解決するための手段】
【０００９】
本考案に係るサーフボード用フィン固定具は、サーフボードの底面のフィンボックスに装着されたフィンを固定するためのサーフボード用フィン固定具であって、軸方向の一端に把持部を有し、軸方向の中間箇所に小径部を有するネジ軸と、前記ネジ軸の把持部側の雄ネジ部に螺合した締付ナットと、前記小径部に抜け止め状態に保持されたワッシャーと、前記締付ナットと前記ワッシャーとの間に配置されたバネと、平面視で一方向の幅が前記フィンボックスのフィン挿入用溝の幅よりも短く、一方向に直交する方向の幅が前記フィン挿入用溝の幅よりも長い外形を有し、中央箇所に前記ネジ軸の他端側の雄ネジ部が螺合可能な雌ネジ部が形成された板ナットとで構成され、前記板ナットは、長手方向が前記フィン挿入用溝と交差した配置で前記フィン挿入用溝に嵌り込んで溝の両側の壁に係合可能な一対の係合凸部を前記雌ネジ部に対して長手方向の両側に有し、前記板ナットの雌ネジ部又は前記ネジ軸の他端側の雄ネジ部は、前記ネジ軸の他端側の雄ネジ部が前記板ナットの雌ネジ部を貫通しないようにネジ形成されていることを特徴とする。
【００１０】
本考案においては、軸方向の一端の把持部側の雄ネジ部に締付ナットが螺合し、軸方向の中間箇所の小径部にワッシャーが抜け止め状態に保持され、締付ナットとワッシャーとの間にバネが配置されたネジ軸の他端側の雄ネジ部をフィンの貫通孔に差し込み、貫通孔から突き出たネジ軸の雄ネジ部を板ナットの雌ネジ部に係合凸部が形成された側から螺合させる。板ナットの雌ネジ部に螺合したネジ軸の雄ネジ部は板ナットの雌ネジ部を貫通せず、ネジ軸の雄ネジ部が板ナットの雌ネジ部にネジ込まれた状態で板ナットがネジ軸に保持される。
【００１１】
次に、板ナットの長手方向をフィンボックスのフィン挿入用溝の長手方向と平行にしてフィン固定具をフィンと共にフィン挿入用溝に挿入した後、把持部を押してバネを圧縮させながらネジ軸を溝内部に押し込み、板ナットの係合凸部をフィン挿入用溝の内部の壁側の係合溝に対応する位置に下げる。そして板ナットの長手方向がフィンボックスのフィン挿入用溝の長手方向と交差するように把持部をネジ軸の雄ネジ部が板ナットの雌ネジ部にネジ込まれる方向と同じ方向に回してネジ軸を回転させた後、把持部を押していた力を緩める。すると、圧縮されていたバネの復元力でネジ軸が引き戻され、板ナットの一対の係合凸部がフィン挿入用溝に嵌まり込んで溝の両側の内壁に係合可能になるとともに、係合溝内に位置する板ナットの部分が係合溝の上壁に当接し、フィンがワッシャーを介してバネで板ナット側に押し付けられてフィンボックスに固定される。ここで、締付ナットを締めることによりバネが圧縮され、フィンを固定する押圧力が調整できる。また、板ナットが回転しようとしても、係合凸部がフィン挿入用溝の両側の壁に係合して回転が制限されるので、板ナットの長手方向がフィンボックスのフィン挿入用溝の長手方向と交差する状態が維持され、フィンの固定状態が安定に維持される。
【００１２】
フィンの固定状態を解除する場合は、把持部を押してバネを圧縮させながらネジ軸を溝内部に押し込み、板ナットの係合凸部をフィン挿入用溝の内部の係合溝に対応する位置に下げ、板ナットの長手方向がフィンボックスのフィン挿入用溝の長手方向と平行になるまで把持部を固定操作の場合と同じ方向に回してネジ軸を回転させた後、把持部を押していた力を緩めると、圧縮されていたバネの復元力でネジ軸が引き戻され、板ナットの全体がフィン挿入用溝内に位置し、フィンの固定が解除される。従って、把持部を押しながら一方向に回した後、把持部の押し操作を停止することを繰り返すことにより、フィンの固定状態と解除状態に切り替わるので、フィンの固定及び解除操作が確実にできる。
【００１３】
さらに本考案に係るサーフボード用フィン固定具は、前記把持部と前記締付ナットとが前記ネジ軸の軸方向に対して同心の円柱状に形成してあることを特徴とする。
本考案においては、把持部と締付ナットとが円柱状であって回転操作がし易いとともに、指の位置をネジ軸の軸方向に少しずらすだけで把持部の操作と締付ナットの操作とを素早く切り替えることができるので、操作性が向上する。
【００１４】
さらに本考案に係るサーフボード用フィン固定具は、前記バネは、前記ネジ軸の把持部側の雄ネジ部を内部に位置させたコイルバネであり、前記ネジ軸の把持部側の雄ネジ部のネジ径が他端側の雄ネジ部のネジ径よりも大であることを特徴とする。
【００１５】
本考案においては、バネ力を強くするためにコイルバネの径を大きくした場合、コイルバネの内部に位置したネジ軸の把持部側の雄ネジ部のネジ径を大きくして、コイルバネの倒れを防止して安定に保持できるようにしながら、他端側の雄ネジ部のネジ径を大きくできないフィン側の貫通孔などの状況に適切に対応することができる。
【００１６】
さらに本考案に係るサーフボード用フィン固定具は、前記板ナットは、長手方向の周縁部が雌ネジ部の軸心を中心とした円弧状に形成してあることを特徴とする。
本考案においては、板ナットが雌ネジ部の軸心回りに回転する場合に、長手方向の周縁部は雌ネジ部の軸心を中心とした円弧より外側に出ないので、板ナットの長手方向がフィン挿入用溝の長手方向と交差した状態で板ナットの周縁部を係合溝の奥壁部に接近させて板ナットの係合溝に対する当接面積を大きくして安定に係合させることができる。
【考案の効果】
【００１７】
本考案によれば、フィンの固定及び解除操作が確実にでき、フィンを固定する押圧力の調整が可能であるとともに、フィンの固定状態を安定に維持することができるサーフボード用フィン固定具が提供される。
【図面の簡単な説明】
【００１８】
【図１】本考案に係るサーフボード用フィン固定具の正面図である。
【図２】本考案に係るサーフボード用フィン固定具の分解斜視図である。
【図３】本考案に係るサーフボード用フィン固定具の構成部品の正面図である。
【図４】本考案に係るサーフボード用フィン固定具の構成部品の正面図、底面図、断面図である。
【図５】本考案に係るサーフボード用フィン固定具の構成部品の正面図、平面図である。
【図６】本考案に係るサーフボード用フィン固定具の構成部品の正面図、平面図、断面図である。
【図７】本考案に係るサーフボード用フィン固定具の構成部品の正面図、平面図、断面図である。
【図８】サーフボードの底面の斜視図とフィンボックスの断面図である。
【図９】サーフボード用フィンの斜視図である。
【図１０】本考案に係るサーフボード用フィン固定具をフィンに取り付けた状態を示す図である。
【図１１】フィンをサーフボードに装着する状態を示す図である。
【図１２】フィンをフィンボックスに固定及び固定解除する状態を示す断面図である。
【図１３】フィンをフィンボックスに固定及び固定解除する状態を示す平面図である。
【図１４】本考案に係るサーフボード用フィン固定具の別の実施形態を示す正面図である。
【図１５】本考案に係るサーフボード用フィン固定具の別の実施形態を示す正面図である。
【考案を実施するための形態】
【００１９】
以下、本考案に係るサーフボード用フィン固定具の実施形態について説明する。図１〜図２は本考案に係るサーフボード用フィン固定具の全体を示す図、図３〜図７は本考案に係るサーフボード用フィン固定具の構成部品を示す図である。尚、図４（ｃ）は図４（ｂ）のＡ−Ａ位置での断面を示し、図６（ｃ）は図６（ｂ）のＢ−Ｂ位置での断面を示し、図７（ｃ）は図７（ｂ）のＣ−Ｃ位置での断面を示す。
【００２０】
本考案に係るサーフボード用フィン固定具は、軸方向の一端にボルト頭１ａ（把持部に相当する）を有し、軸方向の中間箇所に小径部１ｃを有し、ボルト頭１ａ側の雄ネジ部１ｂのネジ径が先端側の雄ネジ部１ｄのネジ径よりも大であるボルト１（ネジ軸に相当する）と、ボルト１のボルト頭１ａ側の雄ネジ部１ｂに螺合した締付ナット２と、ボルト１の小径部１ｃに遊嵌され、抜け止め状態に保持された円形のワッシャー４と、締付ナット２とワッシャー４との間に配置されたコイルバネ３と、中央箇所にボルト１の先端側の雄ネジ部１ｄが螺合可能な雌ネジ部５ａを有する板ナット５とで構成される。ボルト頭１ａ側の雄ネジ部１ｂのネジ径はＭ５であり、先端側の雄ネジ部１ｄのネジ径はＭ４である。ボルト１、締付ナット２、ワッシャー４及び板ナット５の材質はＳＵＳ３０４、コイルバネ３の材質はＳＵＳ３０４バネ鋼である。
【００２１】
ボルト頭１ａと締付ナット２とがボルト１の軸方向に対して同心の円柱状に形成されている。ボルト頭１ａの側から伸ばした指で摘み易いように、締付ナット２の外径がボルト頭１ａの外径よりも大きく形成されている。ボルト頭１ａ及び締付ナット２の外周面には、指で摘んで回転操作するときに滑り難くするために細かい縦溝が刻まれている。また、ボルト頭１ａの表面にはネジ込み方向を示す矢印が彫りこまれ（図２）、注意を引くために矢印には赤ペイントが塗装されている。
【００２２】
ワッシャー４をボルト１の小径部１ｃに抜け止め状態に保持させ、締付ナット２とワッシャー４との間にコイルバネ３を配置する構成について説明する。ワッシャー４の内側の孔４ａの孔径は小径部１ｃの外径よりも僅かに大きい寸法にしてある。ボルト１はボルト頭１ａ側の雄ネジ部１ｂだけをネジ加工し、残りは小径部１ｃの径と同径にしてある。この状態でボルト１の先端側から締付ナット２を通してボルト頭１ａ側の雄ネジ部１ｂに螺合させ、次にコイルバネ３を通し、最後にワッシャー４を通す。その後、ボルト１の先端側から雄ネジ部１ｄを鍛造により形成すると、鍛造で盛り上がった雄ネジ部１ｄの外径がワッシャー４の内側の孔４ａの孔径よりも大きくなるので、ワッシャー４は小径部１ｃに抜け止め状態に保持される。また、ボルト１のボルト頭１ａ側の雄ネジ部１ｂがコイルバネ３の内部に位置している。
【００２３】
コイルバネ３の軸方向の両端部３ａは軸方向に直交する平面上に位置している。締付ナット２のコイルバネ３に面する側には、コイルバネ３のコイル外径よりも僅かに大きい内径と所定の深さを有する凹状のコイル受け部２ｂが設けられ、ワッシャー４のコイルバネ３に面する側には、コイルバネ３のコイル外径よりも僅かに大きい内径と所定の深さを有する凹状のコイル受け部４ｂが設けてある。締付ナット２とワッシャー４との間に位置したコイルバネ３の両端部３ａは夫々締付ナット２のコイル受け部２ｂとワッシャー４のコイル受け部４ｂとによって安定に受け止め保持される。
【００２４】
板ナット５は、平面視で一方向の幅ｗ１がフィンボックス１１のフィン挿入用溝１１ａの幅ｗ（図８参照）よりも短く、一方向に直交する方向の幅ｗ２がフィン挿入用溝１１ａの幅ｗよりも長い外形を有している。板ナット５の中央には、一方の幅が板ナット５の短い方の外形幅ｗ１と同幅であり、他方の幅がｗ１より長いがフィンボックス１１のフィン挿入用溝１１ａの幅ｗより少し短い幅ｗ３の矩形で面状に突出した面状突出部５ｃが形成されている。板ナット５の長手方向で面状突出部５ｃの両側に面状突出部５ｃより低い高さのナット平面部５ｅが形成されている。図７において、５ｃ１は面状突出部５ｃの長手方向の両側面部を示す。
【００２５】
板ナット５の中央箇所には、面状突出部５ｃの側からボルト１の先端側の雄ネジ部１ｄが螺合可能な雌ネジ部５ａが形成されている。ただし、雌ネジ部５ａは板ナット５を貫通せず、面状突出部５ｃの反対側にはネジが形成されていない内周部５ｂが残っている。そのため、ボルト１の雄ネジ部１ｄが板ナット５の雌ネジ部５ａにネジ込まれたとき雄ネジ部１ｄの先端が内周部５ｂに当たった位置でネジ込みが停止する。従って、板ナット５の雌ネジ部５ａは、ボルト１の先端側の雄ネジ部１ｄが板ナット５の雌ネジ部５ａを貫通しないようにネジ形成されている。板ナット５の長手方向の周縁部５ｄは雌ネジ部５ａの軸心を中心とした半径Ｒの円弧状に形成されている。
【００２６】
次に、本考案に係るサーフボード用フィン固定具の使用方法について説明する。図１０は本考案に係るサーフボード用フィン固定具をフィンに取り付けた状態を示す図、図１１はフィンをサーフボードに装着する状態を示す図、図１２及び図１３はフィンをフィンボックスに固定及び固定解除する状態を示す図である。
【００２７】
先ず、本考案に係るサーフボード用フィン固定具をフィン１２に取り付ける操作を説明する。ボルト１から板ナット５を外し、締付ナット２を緩めた状態でボルト１の先端側の雄ネジ部１ｄをフィン１２の根元部分１２ｃの貫通孔１２ｂにフィン本体１２ｄの方から差し込む。そして、貫通孔１２ｂの反対側に突き出た雄ネジ部１ｄが板ナット５の雌ネジ部５ａにネジ込まれるようにボルト頭１ａを矢印方向（右向き）に回す。雄ネジ部１ｄが板ナット５の内周部５ｂに当たった位置でネジ込みは停止するので、その位置でボルト頭１ａを軽く締めることにより、ボルト１に板ナット５が保持される（このとき、図１に示すようにボルト１の先端部は板ナット５の底面と略面一に位置している）。
【００２８】
次に本考案に係るサーフボード用フィン固定具が取り付けられたフィン１２をサーフボード１０に装着する操作を説明する。基本的には図１１に示すように従来と同様である。フィン１２側の脱落防止ピン１２ａをフィンボックス１１のピン導入溝１１ｃに挿入して係合溝１１ｂに導入し、係合溝１１ｂ内をスライドさせてフィン１２の前後方向の位置を決めた後、板ナット５の長手方向をフィン１２の長手方向と平行にした状態でフィン１２の根元部分１２ｃの全体をフィン挿入用溝１１ａに挿入する。このとき、板ナット５の面状突出部５ｃは係合溝１１ｂより上側に位置している（図１２（ａ）の実線部参照）。
【００２９】
次に図１２及び図１３に基づいてフィン１２をフィンボックス１１に固定する操作を説明する。先ず、ボルト頭１ａを押して（このときコイルバネ３は圧縮される）、板ナット５の面状突出部５ｃを係合溝１１ｂの位置まで下げた状態で（図１２（ａ）の点線部、図１３（ａ）の実線部）、ボルト頭１ａを矢印方向（右向き）に回す（図１２（ｂ）、図１３（ａ）の点線部）。ボルト頭１ａを約９０度回転させると、板ナット５の長手方向がフィン挿入用溝１１ａに直交する状態になり（図１２（ｃ）の点線部）、この位置でボルト頭１ａを押していた力を緩めると、コイルバネ３の戻り力で板ナット５が引き上げられ、面状突出部５ｃがフィン挿入用溝１１ａに嵌まり込むとともに面状突出部５ｃの両側のナット平面部５ｅが係合溝１１ｂの上壁に当接し、フィン１２がフィンボックス１１に固定される（図１２（ｃ）の実線部、図１３（ｂ）の実線部）。最後に締付ナット２を締めてコイルバネ３を圧縮させ、フィン１２を押圧する固定力を調整する。
【００３０】
上記の面状突出部５ｃがフィン挿入用溝１１ａに嵌まり込んでいる状態では、面状突出部５ｃの両側面部５ｃ１は幅ｗのフィン挿入用溝１１ａの両側の壁に短い距離で対向しているため、板ナット５がフィン挿入用溝１１ａ内で回転しようとしても、両側面部５ｃ１がフィン挿入用溝１１ａの壁に係合して回転が阻止される。従って、面状突出部５ｃの両側面部５ｃ１が、雌ネジ部５ａに対して長手方向の両側に位置し、板ナット５の長手方向がフィン挿入用溝１１ａと交差した配置でフィン挿入用溝１１ａに嵌り込んで溝の両側の壁に係合可能な一対の係合凸部に対応する。
【００３１】
次にフィンボックス１１に固定したフィン１２の固定を解除する操作を説明する。先ず、ボルト頭１ａを押して（このときコイルバネ３は圧縮される）、板ナット５の面状突出部５ｃを係合溝１１ｂの位置まで下げ（図１２（ｃ）の点線部）、ボルト頭１ａを矢印方向（右向き）に回す（図１２（ｄ）、図１３（ｂ）の点線部）。ボルト頭１ａを約９０度回転させると、板ナット５の長手方向がフィン挿入用溝１１ａと平行な状態になり（図１２（ａ）の点線部）、この位置でボルト頭１ａを押していた力を緩めると、コイルバネ３の戻り力で板ナット５が引き上げられ、板ナット５の全体がフィン挿入用溝１１ａ内に位置し、フィン１２の固定が解除される（図１２（ａ）の実線部、図１３（ａ）の実線部）。従って、ボルト頭１ａを押しながら右方向に約９０度回した後、ボルト頭１ａの押し操作を停止することを繰り返すことにより、フィン１２の固定状態と解除状態とが切り替えられる。
【００３２】
また図１３に示すように、板ナット５が雌ネジ部５ａの軸心回りに回転する場合に、板ナット５の長手方向の周縁部５ｄは雌ネジ部５ａの軸心を中心とした円弧より外側に出ない。そこで、板ナット５の長手方向がフィン挿入用溝１１ａの長手方向と交差した状態で板ナット５の周縁部５ｄが左右の係合溝１１ｂの奥壁部に接近するように、板ナット５の長手方向の幅ｗ２を左右の係合溝１１ｂの奥壁部の間の幅ｗ４より少し短い程度の寸法にしておく。これにより、板ナット５の長手方向両側のナット平面部５ｅが係合溝１１ｂに当接するときの当接面積が大きくなり、安定に係合される。
【００３３】
上記実施形態では、板ナット５の雌ネジ部５ａをボルト１の先端側の雄ネジ部１ｄが貫通しないようにネジ形成したが、これに限るものではない。図１４に示すように、ボルト１の先端側の雄ネジ部１ｄを板ナット５の雌ネジ部５ａに貫通しないようにネジ形成してもよい。具体的には、ボルト１の先端側の雄ネジ部１ｄの軸方向の長さを板ナット５の厚さ程度に短く形成し、残りは円柱部１ｅのままにしておく（この場合、板ナット５は、内周部５ｂを設けず、雌ネジ部５ａを貫通形成しておく）。この構成で、ボルト１の雄ネジ部１ｄを板ナット５の雌ネジ部５ａにネジ込んだときボルト１の円柱部１ｅが雌ネジ部５ａに達した位置でネジ込みが停止する。尚、図１４では、ワッシャー４を小径部１ｃに抜け止め状態に保持するために雄ネジ部１ｆを鍛造形成している。
【００３４】
上記実施形態では、一対の係合凸部を面状突出部５ｃの両側面部５ｃ１で構成したが、これに限るものではない。図１５に示すように、面状突出部５ｃの代わりに、面状突出部５ｃの両端部分に相当する一対の突起部５ｆを設け、その両突起部５ｆの雌ネジ部５ａの側とは反対の両側面部５ｆ１で一対の係合凸部を構成してもよい。
【００３５】
上述した実施形態は本考案の一態様であり、該記載により本考案が限定されるものではなく、本考案の作用効果が奏される範囲で適宜変更可能であることはいうまでもない。
【符号の説明】
【００３６】
１      ボルト（ネジ軸）
１ａ    ボルト頭（把持部）
１ｂ    雄ネジ部
１ｃ    小径部
１ｄ    雄ネジ部
２      締付ナット
２ａ    雌ネジ部
３      コイルバネ（バネ）
４      ワッシャー
５      板ナット
５ａ    雌ネジ部
５ｃ１  側面部（係合凸部）
５ｄ    周縁部
５ｆ１  側面部（係合凸部）
１０    サーフボード
１１    フィンボックス
１１ａ  フィン挿入用溝
１２    フィン
【図１】
0003189146.tif 000003
【図２】
0003189146.tif 000004
【図３】
0003189146.tif 000005
【図４】
0003189146.tif 000006
【図５】
0003189146.tif 000007
【図６】
0003189146.tif 000008
【図７】
0003189146.tif 000009
【図８】
0003189146.tif 000010
【図９】
0003189146.tif 000011
【図１０】
0003189146.tif 000012
【図１１】
0003189146.tif 000013
【図１２】
0003189146.tif 000014
【図１３】
0003189146.tif 000015
【図１４】
0003189146.tif 000016
【図１５】
0003189146.tif 000017